(57)【要約】      （修正有）【課題】支持部材の形成作業性に優れると共にこの支持部材によって物品のぐらつきを十分に抑えることができ、かつ物品の取出作業性にも優れるシートセットを提供する。【解決手段】シートセットは、四角筒状部を有する箱型に組立可能な包装箱用シートと、包装箱用シートから組立てられる包装箱Ｚに収容される支持部材を形成する支持部材用シートとを備え、支持部材用シートが、対向する第１辺２２及び第３辺２４、並びに対向する第２辺２３及び第４辺２５を有し、第１辺２２及び第４辺２５の連接部と第２辺２３及び第３辺２４の連接部とを結ぶ対角線が短対角線を形成する概略平行四辺形状に形成され、第１辺２２と第４辺２５との連接部近傍、及び第２辺２３と第３辺２４との連接部近傍を結ぶ１又は複数の谷折り線２６、２７が形成され、少なくとも１又は複数の谷折り線２６、２７の外側領域を含む部分に物品を収容するための開口、切欠き又はスリットを有する。【選択図】図５
0003205861.tif 000002
【実用新案登録請求の範囲】
【請求項１】
左右方向に連接する第１側面パネル、第２側面パネル、第３側面パネル及び第４側面パネルを有し、第１側面パネルの一端及び第４側面パネルの他端が連結して四角筒状部を形成することで箱型に組立可能な包装箱用シートと、
上記包装箱用シートから組立てられる包装箱に収容される支持部材を形成する支持部材用シートと
を備えるシートセットであって、
上記支持部材用シートが、
対向する第１辺及び第３辺、並びに対向する第２辺及び第４辺を有し、上記第１辺及び第４辺の連接部と上記第２辺及び第３辺の連接部とを結ぶ対角線が短対角線を形成する概略平行四辺形状に形成され、
上記第１辺と第４辺との連接部近傍、及び上記第２辺と第３辺との連接部近傍を結ぶ１又は複数の谷折り線が形成され、
上記１又は複数の谷折り線で谷折りされることで、上記第１辺の上記１又は複数の谷折り線の外側部分が第１側面パネルの内面に斜め方向に当接し、上記第２辺の上記１又は複数の谷折り線の外側部分が第２側面パネルの内面に斜め方向に当接し、上記第３辺の上記１又は複数の谷折り線の外側部分が第３側面パネルの内面に斜め方向に当接し、上記第４辺の上記１又は複数の谷折り線の外側部分が第４側面パネルの内面に斜め方向に当接するよう構成されており、
少なくとも上記１又は複数の谷折り線の外側領域を含む部分に物品を収容するための開口、切欠き又はスリットを有するシートセット。
【請求項２】
上記第１辺及び第２辺の連接部が上記第１側面パネル及び第２側面パネルの連接部の上端部に位置し、上記第３辺及び第４辺の連接部が上記第３側面パネル及び第４側面パネルの連接部の上端部に位置するよう構成されている請求項１に記載のシートセット。
【請求項３】
上記短対角線と平行に配設される一対の上記谷折り線を有し、
一方の谷折り線が上記第１辺及び第２辺を結び、他方の谷折り線が上記第３辺及び第４辺を結ぶよう構成される請求項１又は請求項２に記載のシートセット。
【請求項４】
上記開口、切欠き又はスリットが、上記短対角線上の点を基準として上記一対の谷折り線の外側に略点対称に設けられる請求項３に記載のシートセット。
【請求項５】
左右方向に連接する第１側面パネル、第２側面パネル、第３側面パネル及び第４側面パネルを有し、第１側面パネルの一端及び第４側面パネルの他端が連結して四角筒状部を形成することで箱型に組立可能な包装箱用シートに収容される支持部材を形成する支持部材用シートであって、
対向する第１辺及び第３辺、並びに対向する第２辺及び第４辺を有し、上記第１辺及び第４辺の連接部と上記第２辺及び第３辺の連接部とを結ぶ対角線が短対角線を形成する概略平行四辺形状に形成され、
上記第１辺と第４辺との連接部近傍、及び上記第２辺と第３辺との連接部近傍を結ぶ１又は複数の谷折り線が形成され、
上記１又は複数の谷折り線で谷折りされることで、上記第１辺の上記１又は複数の谷折り線の外側部分が第１側面パネルの内面に斜め方向に当接し、上記第２辺の上記１又は複数の谷折り線の外側部分が第２側面パネルの内面に斜め方向に当接し、上記第３辺の上記１又は複数の谷折り線の外側部分が第３側面パネルの内面に斜め方向に当接し、上記第４辺の上記１又は複数の谷折り線の外側部分が第４側面パネルの内面に斜め方向に当接するよう構成されており、
少なくとも上記１又は複数の谷折り線の外側領域を含む部分に物品を収容するための開口、切欠き又はスリットを有する支持部材用シート。
【考案の詳細な説明】
【技術分野】
【０００１】
本考案は、シートセット及び支持部材用シートに関する。
【背景技術】
【０００２】
包装箱用シートとして、組立時に四角筒状部を形成する４つの側面パネルを有する段ボールシートが用いられている。この包装箱用シートを組立ててなる包装箱は、物品の保管用、運送用等に広く用いられている。
【０００３】
一方、この包装箱に物品を収容するに際し、包装箱のサイズに比べて物品のサイズが小さい場合がある。この場合、この包装箱に物品を収容する際に、包装箱内での物品のぐらつき等を抑えるために支持部材が用いられることがある。また、このような支持部材及びこの支持部材を備えた包装箱として、例えば「通い箱およびそれに用いられる支持体」（特開２００６−３０６４６９号公報参照）が発案されている。
【０００４】
この公報に記載の通い箱は、支持体（支持部材）が物品の側面を囲むように環状に構成される。そのため、この通い箱は、内部に収容される物品のぐらつきを抑えることができると考えられる。
【０００５】
しかしながら、この公報に記載の通い箱によると、物品の側面全面が支持体によって覆われるため、物品の取出し作業を容易に行い難い。また、この支持体は、平面シートをスリットに沿って折り曲げ、さらにこのスリットを広げることで形成されるものであるため、形成作業が比較的煩雑である。
【先行技術文献】
【特許文献】
【０００６】
【特許文献１】特開２００６−３０６４６９号公報
【考案の概要】
【考案が解決しようとする課題】
【０００７】
本考案は、このような不都合に鑑みてなされたものであり、支持部材の形成作業性に優れると共に、この支持部材によって物品のぐらつきを十分に抑えることができ、かつ物品の取出作業性にも優れるシートセット及び支持部材用シートの提供を目的とするものである。
【課題を解決するための手段】
【０００８】
上記課題を解決するためになされた本考案に係るシートセットは、左右方向に連接する第１側面パネル、第２側面パネル、第３側面パネル及び第４側面パネルを有し、第１側面パネルの一端及び第４側面パネルの他端が連結して四角筒状部を形成することで箱型に組立可能な包装箱用シートと、上記包装箱用シートから組立てられる包装箱に収容される支持部材を形成する支持部材用シートとを備えるシートセットであって、上記支持部材用シートが、対向する第１辺及び第３辺、並びに対向する第２辺及び第４辺を有し、上記第１辺及び第４辺の連接部と上記第２辺及び第３辺の連接部とを結ぶ対角線が短対角線を形成する概略平行四辺形状に形成され、上記第１辺と第４辺との連接部近傍、及び上記第２辺と第３辺との連接部近傍を結ぶ１又は複数の谷折り線が形成され、上記１又は複数の谷折り線で谷折りされることで、上記第１辺の上記１又は複数の谷折り線の外側部分が第１側面パネルの内面に斜め方向に当接し、上記第２辺の上記１又は複数の谷折り線の外側部分が第２側面パネルの内面に斜め方向に当接し、上記第３辺の上記１又は複数の谷折り線の外側部分が第３側面パネルの内面に斜め方向に当接し、上記第４辺の上記１又は複数の谷折り線の外側部分が第４側面パネルの内面に斜め方向に当接するよう構成されており、少なくとも上記１又は複数の谷折り線の外側領域を含む部分に物品を収容するための開口、切欠き又はスリットを有する。
【０００９】
当該シートセットは、支持部材用シートを１又は複数の谷折り線で谷折りし、第１辺及び第２辺の上記１又は複数の谷折り線よりも外側部分、並びに第３辺及び第４辺の上記１又は複数の谷折り線よりも外側部分が包装箱用シートを組立ててなる包装箱の第１側面パネル乃至第４側面パネルの内面に斜め方向に当接するよう包装箱内に収容することで支持部材付き包装箱として組立てられる。当該シートセットは、支持部材用シートの第１辺乃至第４辺が第１側面パネル乃至第４側面パネルの内面に斜め方向に当接することで、支持部材用シートを包装箱内でさらに展開することが困難になるので、支持部材用シートが包装箱内に安定的に保持される。当該シートセットは、このように支持部材用シートを１又は複数の谷折り線で谷折りし包装箱内に収容するだけで支持部材を形成することができるので支持部材の形成作業性に優れる。また、当該シートセットは、支持部材用シートが包装箱内に安定的に保持されるので、上記開口、切欠き又はスリットによって形成される物品収容部に物品を収容することで包装箱内での物品のぐらつきを十分に抑えることができる。当該シートセットは、支持部材用シートの１又は複数の谷折り線よりも外側領域を包装箱の下面に対して斜めに傾斜した状態で保持することができるので、物品の側面の一部を支持部材用シートの上側から露出させることができる。そのため、当該シートセットは、物品の取出作業性に優れる。
【００１０】
上記支持部材用シートの第１辺及び第２辺の連接部が上記第１側面パネル及び第２側面パネルの連接部の上端部に位置し、第３辺及び第４辺の連接部が上記第３側面パネル及び第４側面パネルの連接部の上端部に位置するよう構成されているとよい。このように、上記支持部材用シートの第１辺及び第２辺の連接部が上記第１側面パネル及び第２側面パネルの連接部の上端部に位置し、第３辺及び第４辺の連接部が上記第３側面パネル及び第４側面パネルの連接部の上端部に位置するよう構成されていることによって、包装箱の封函状態における支持部材の上下方向の動きが防止される。これにより、包装箱内における物品のぐらつきが格段に抑制される。
【００１１】
上記短対角線と平行に配設される一対の上記谷折り線を有し、一方の谷折り線が上記第１辺及び第２辺を結び、他方の谷折り線が上記第３辺及び第４辺を結ぶよう構成されるとよい。このように、上記短対角線と平行に配設される一対の上記谷折り線を有し、一方の谷折り線が上記第１辺及び第２辺を結び、他方の谷折り線が上記第３辺及び第４辺を結ぶよう構成されることによって、包装箱内における短対角線と平行方向における物品の安定性がさらに向上される。
【００１２】
上記開口、切欠き又はスリットが、上記短対角線上の点を基準として上記一対の谷折り線の外側に略点対称に設けられるとよい。このように、上記開口、切欠き又はスリットが、上記短対角線上の点を基準として上記一対の谷折り線の外側に略点対称に設けられることによって、包装箱内での物品の安定性及び取出作業性がさらに向上される。また、上記支持部材用シートに物品収容部を１つのみ設ける場合、この物品を包装箱内に見栄えよく収容することができる。
【００１３】
また、上記課題を解決するためになされた本考案に係る支持部材用シートは、左右方向に連接する第１側面パネル、第２側面パネル、第３側面パネル及び第４側面パネルを有し、第１側面パネルの一端及び第４側面パネルの他端が連結して四角筒状部を形成することで箱型に組立可能な包装箱用シートに収容される支持部材を形成する支持部材用シートであって、対向する第１辺及び第３辺、並びに対向する第２辺及び第４辺を有し、上記第１辺及び第４辺の連接部と上記第２辺及び第３辺の連接部とを結ぶ対角線が短対角線を形成する概略平行四辺形状に形成され、上記第１辺と第４辺との連接部近傍、及び上記第２辺と第３辺との連接部近傍を結ぶ１又は複数の谷折り線が形成され、上記１又は複数の谷折り線で谷折りされることで、上記第１辺の上記１又は複数の谷折り線の外側部分が第１側面パネルの内面に斜め方向に当接し、上記第２辺の上記１又は複数の谷折り線の外側部分が第２側面パネルの内面に斜め方向に当接し、上記第３辺の上記１又は複数の谷折り線の外側部分が第３側面パネルの内面に斜め方向に当接し、上記第４辺の上記１又は複数の谷折り線の外側部分が第４側面パネルの内面に斜め方向に当接するよう構成されており、少なくとも上記１又は複数の谷折り線の外側領域を含む部分に物品を収容するための開口、切欠き又はスリットを有する。
【００１４】
当該支持部材用シートは、第１辺乃至第４辺が包装箱の第１側面パネル乃至第４側面パネルの内面に斜め方向に当接することで、包装箱内に安定的に保持される。当該支持部材用シートは、上記１又は複数の谷折り線で谷折りし包装箱内に収容するだけで支持部材として形成されるので形成作業性に優れる。また、当該支持部材用シートは、包装箱内に安定的に保持されるので、上記開口、切欠き又はスリットによって形成される物品収容部に物品を収容することで包装箱内での物品のぐらつきを十分に抑えることができる。当該支持部材用シートは、１又は複数の谷折り線よりも外側領域を包装箱の下面に対して斜めに傾斜した状態で保持することができるので、物品の側面の一部を支持部材用シートの上側から露出させることができる。そのため、当該支持部材用シートは、物品の取出作業性に優れる。
【００１５】
なお、本考案において「左右」とは、包装箱用シートを組立てた包装箱における左右をいう。「上」とは、包装箱用シートを組立てた包装箱における上をいい、「下」とは、包装箱用シートを組立てた包装箱における下をいう。また、「斜め方向」とは、左右方向及び上下方向に対して傾斜した方向をいう。「内面」とは、包装箱用シートを組立てた包装箱における内側の面をいう。「概略平行四辺形状」とは、完全な平行四辺形状に限定されるものではない。また、「概略平行四辺形状」とは、平行四辺形を形成する１又は複数の辺に切欠きを有する形状も含む。谷折り線が「第１辺と第４辺との連接部近傍、及び第２辺と第３辺との連接部近傍を結ぶ」とは、必ずしも谷折り線が第１辺と第４辺との連接部近傍、及び第２辺と第３辺との連接部近傍に亘って連続して形成されている必要はなく、谷折り線が開口、切欠き又はスリットによって分断される構成も含む。「１又は複数の谷折り線の外側」とは、谷折り線が複数存在する場合は最も外側に位置する一対の谷折り線の対向方向と反対側を意味し、１つの谷折り線のみが存在する場合はこの谷折り線の両側を意味する。
【考案の効果】
【００１６】
以上説明したように、本考案のシートセット及び支持部材用シートは、支持部材の形成作業性に優れると共に、この支持部材によって物品のぐらつきを十分に抑えることができ、かつ物品の取出作業性にも優れる。
【図面の簡単な説明】
【００１７】
【図１】本考案の一実施形態に係る包装箱用シートを示す模式的平面図である。
【図２】本考案の一実施形態に係る支持部材用シートを示す模式的平面図である。
【図３】図２の支持部材用シートから形成される支持部材を示す模式的平面図である。
【図４】図３の支持部材を短対角線の延長方向からみた模式的側面図である。
【図５】図１の包装箱を組立ててなる包装箱に支持部材を収容した状態を示す模式的斜視図である。
【図６】図２の支持部材用シートとは異なる形態に係る支持部材用シートを示す模式的平面図である。
【考案を実施するための形態】
【００１８】
以下、適宜図面を参照しつつ、本考案の実施の形態を詳説する。
【００１９】
［第一実施形態］
［シートセット］
当該シートセットは、図１に示す包装箱用シート１と、図２に示す支持部材用シート２１とを備えている。以下、包装箱用シート１及び支持部材用シート２１についてそれぞれ説明する。
【００２０】
＜包装箱用シート＞
図１の包装箱用シート１は、１枚の段ボールシートからなる。包装箱用シート１は、左右方向に連接する第１側面パネル２、第２側面パネル３、第３側面パネル４及び第４側面パネル５を有し、第１側面パネル２の一端（左端）及び第４側面パネルの他端（右端）が連結して四角筒状部を形成することで箱型に組立可能に構成されている。また、包装箱用シート１は、第１側面パネル２及び第３側面パネル４の上縁から上方に延出する一対の上側外フラップ６，８と、第２側面パネル３及び第４側面パネル５の上縁から上方に延出する一対の上側内フラップ７，９と、第１側面パネル２乃至第４側面パネル５の下縁から下方に延出する４つの下側フラップ１０〜１３とを備える。さらに、包装箱用シート１は、第１側面パネル２の左右方向の他方側端縁に連接される糊代部１４を備える。
【００２１】
包装箱用シート１に用いられる段ボールシートとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。
【００２２】
第１側面パネル２乃至第４側面パネル５は各々略方形状に形成されている。第１側面パネル２及び第３側面パネル４は略同形状に形成されている。また、第２側面パネル３及び第４側面パネル５は略同形状に形成されている。
【００２３】
第１側面パネル２乃至第４側面パネル５の上下方向長さの下限としては、３ｃｍが好ましく、５ｃｍがより好ましい。一方、第１側面パネル２乃至第４側面パネル５の上下方向長さの上限としては、３０ｃｍが好ましく、１０ｃｍがより好ましい。第１側面パネル２乃至第４側面パネル５の上下方向長さが上記下限に満たないと、包装箱用シート１を組立ててなる包装箱に収容できる物品が限定されるおそれがある。逆に、第１側面パネル２乃至第４側面パネル５の上下方向長さが上記上限を超えると、包装箱のサイズが大きくなり過ぎて取扱性が低下するおそれがある。
【００２４】
第１側面パネル２及び第３側面パネル４の左右方向長さの下限としては、１０ｃｍが好ましく、１５ｃｍがより好ましい。一方、第１側面パネル２及び第３側面パネル４の左右方向長さの上限としては、１００ｃｍが好ましく、５０ｃｍがより好ましい。第１側面パネル２及び第３側面パネル４の左右方向長さが上記下限に満たないと、当該包装箱用シートを組立ててなる包装箱に収容できる物品が限定されるおそれがある。逆に、第１側面パネル２及び第３側面パネル４の左右方向長さが上記上限を超えると、包装箱のサイズが大きくなり過ぎて取扱性が低下するおそれがある。
【００２５】
第１側面パネル２及び第３側面パネル４の左右方向長さに対する上下方向長さの比の下限としては、０．１５が好ましく、０．２がより好ましい。一方、上記比の上限としては、０．５が好ましく、０．３がより好ましい。上記比が上記下限に満たないと、包装箱用シート１を組立ててなる包装箱に後述する支持部材用シート２１を収容した場合に、支持部材用シート２１の第１領域３０及び第２領域３１の包装箱の下面に対する傾斜角が不足してこの支持部材用シート２１の開口に収容される物品の安定性が低下するおそれがある。逆に、上記比が上記上限を超えると、支持部材用シート２１を包装箱内に収容する際の作業性が低下するおそれがある。
【００２６】
第２側面パネル３及び第４側面パネル５の左右方向長さの下限としては、５ｃｍが好ましく、１０ｃｍがより好ましい。一方、第２側面パネル３及び第４側面パネル５の左右方向長さの上限としては、５０ｃｍが好ましく、３０ｃｍがより好ましい。第２側面パネル３及び第４側面パネル５の左右方向長さが上記下限に満たないと、包装箱用シートを組立ててなる包装箱に収容できる物品が限定されるおそれがある。逆に、第２側面パネル３及び第４側面パネル５の左右方向長さが上記上限を超えると、包装箱のサイズが大きくなり過ぎて取扱性が低下するおそれがある。
【００２７】
〈組立手順〉
次に、包装箱用シート１を包装箱に組立てる手順を以下に示す。まず、第１側面パネル２を第２側面パネル３の内面に折り重ね、続いて第４側面パネル５を第３側面パネル４の内面に折り重ね、糊代部１４を第４側面パネル５の内面に貼着する。これにより、第１側面パネル２の左右方向の他端側端縁及び第４側面パネル５の左右方向の一端側端縁が連結され、第１側面パネル２乃至第４側面パネル５によって四角筒状部が形成される。次に、４つの下側フラップ１０〜１３を順次内側に折り曲げることで底面部を形成する。なお、包装箱用シート１は、一対の上側内フラップ７，９を内側に折り曲げ、続いて一対の上側外フラップ６，８を先端同士を突き合わせるように内側に折り曲げることで天面部を形成することができる。但し、通常この天面部は、底面部まで形成した状態の包装箱内に支持部材用シート２１を収容し、さらにこの支持部材用シート２１によって形成された支持部材の開口に物品を収容した上で形成される。
【００２８】
＜支持部材用シート＞
図２の支持部材用シート２１は、図１の包装箱用シート１から組立てられる包装箱に収容される支持部材を形成する。支持部材用シート２１は、１枚の段ボールシートからなる。支持部材用シート１に用いられる段ボールシートとしては、上述の包装箱用シート１に用いられる段ボールシートと同様の段ボールシートが挙げられる。
【００２９】
支持部材用シート２１は、対向する第１辺２２及び第３辺２４、並びに対向する第２辺２３及び第４辺２５を有する。支持部材用シート２１は、第１辺２２及び第４辺２５の連接部と第２辺２３及び第３辺２４の連接部とを結ぶ対角線が短対角線Ｘを形成する概略平行四辺形状に形成されている。支持部材用シート２１には、第１辺２２と第４辺２５との連接部近傍、及び第２辺２３と第３辺２４との連接部近傍を結ぶ一対の谷折り線（第１谷折り線２６及び第２谷折り線２７）が形成されている。第１谷折り線２６は第１辺２２及び第２辺２３を結び、第２谷折り線２７は第３辺２４及び第４辺２５を結ぶよう構成されている（換言すると、第１谷折り線２６は一端が第１辺２２上に形成され、他端が第２辺２３上に形成されており、第２谷折り線２７は一端が第３辺２４上に形成され、他端が第４辺２５上に形成されている）。第１谷折り線２６及び第２谷折り線２７は直線状である。また、支持部材用シート２１は、第１谷折り線２６及び第２谷折り線２７の外側領域を含む部分に物品を収容するためのスリット２８ａ，２８ｂを有する。当該支持部材用シート２１は、第１辺２２及び第３辺２４と段ボールシートの中芯の稜線方向とが垂直に位置しており、これにより段ボールシートの中芯の稜線方向が第１谷折り線２６及び第２谷折り線２７に対して傾斜している。第１谷折り線２６及び第２谷折り線２７は、例えばシート材の一方側面を筋押しして形成される罫線や、シート材の一方のライナーを切断したハーフカット線、シート材に所定のピッチでスリットを形成したミシン目等によって形成される。
【００３０】
第１谷折り線２６及び第２谷折り線２７は、短対角線Ｘに沿って短対角線Ｘの両側に形成されており、本実施形態においては短対角線Ｘと平行に配設されている。また、第１谷折り線２６と短対角線Ｘとの間隔、並びに第２谷折り線２７と短対角線Ｘとの間隔は等しい。なお、本実施形態においては、第１谷折り線２６及び第２谷折り線２７は、それぞれスリット２８ａ，２８ｂによって２つの部位に分断されている。
【００３１】
第１谷折り線２６及び第２谷折り線２７は、短対角線Ｘに近接して設けられている。当該支持部材用シート２１は、第１谷折り線２６及び第２谷折り線２７が短対角線Ｘに近接して設けられることによって、第１谷折り線２６の外側領域（以下、「第１外側領域２９」ともいう）、及び第２谷折り線２７の外側領域（以下、「第２外側領域３０」ともいう）の面積を大きくすることができる。その結果、当該支持部材用シート２１は、支持部材に形成されたうえ包装箱に収容された場合に、第１外側領域２９及び第２外側領域３０を包装箱の内面に斜めに保持することで、包装箱内における安定性を高めることができる。
【００３２】
第１辺２２の全長に対する第１辺２２の短対角線Ｘから第１谷折り線２６までの長さの比、及び第３辺２４の全長に対する第３辺２４の短対角線Ｘから第２谷折り線２７までの長さの比の上限としては、０．３が好ましく、０．２がより好ましく、０．１５がさらに好ましい。上記比が上記上限を超えると、第１外側領域２９及び第２外側領域３０の面積が小さくなり、当該支持部材用シート２１から形成される支持部材の包装箱内での安定性が低下するおそれがある。また、上記比が上記上限を超えると、第１外側領域２９及び第２外側領域３０によって物品の側面を的確に支持できないおそれがある。一方、上記比の下限としては、例えば０．０５とすることができる。
【００３３】
一対のスリット２８ａ，２８ｂは、物品を収容するための物品収容部２８を画定する。
一対のスリット２８ａ，２８ｂは、第１谷折り線２６及び第２谷折り線２７から外側に形成されている。一対のスリット２８ａ，２８ｂは、第１谷折り線２６及び第２谷折り線２７を端点として外側にコ字状に突出するよう形成されている。一対のスリット２８ａ，２８ｂは、短対角線Ｘ上の点（本実施形態においては短対角線Ｘの中点）を基準として第１谷折り線２６及び第２谷折り線２７の外側に略点対称に設けられている。
【００３４】
第１側面パネル２及び第３側面パネル４の左右方向長さをＬ１、高さをＨ、第１辺２２及び第３辺２４の全長をｌ１、第１辺２２の短対角線Ｘから第１谷折り線２６までの長さ及び第３辺２４の短対角線Ｘから第２谷折り線２７までの長さをｋｌ１（但し、０＜ｋ＜１）、第１辺２２の第１谷折り線２６から第１辺２２と第２辺２３との連接部までの長さ、及び第３辺２４の第２谷折り線２７から第３辺２４と第４辺２５との連接部までの長さを（１−ｋ）ｌ１とすると、（１−ｋ）ｌ１は、底辺を（Ｌ１−ｋｌ１）、高さをｈ（但し、０＜ｈ≦Ｈ）とする直角三角形の斜辺として規定される。また、第２側面パネル３及び第４側面パネル５の左右方向長さをＬ２、高さをＨ、第２辺２３及び第４辺２５の全長をｌ２、第２辺２３の短対角線Ｘから第１谷折り線２６までの長さ及び第４辺２５の短対角線Ｘから第２谷折り線２７までの長さをｊｌ２（但し、０＜ｊ＜１）、第２辺２３の第１谷折り線２６から第１辺２２と第２辺２３との連接部までの長さ、及び第４辺２５の第２谷折り線２７から第３辺２４と第４辺２５との連接部までの長さを（１−ｊ）ｌ２とすると、（１−ｊ）ｌ２は、底辺を（Ｌ２−ｊｌ２）、高さをｈとする直角三角形の斜辺として規定される。これにより、支持部材用シート２１は、図３，４に示すように、第１辺２２の第１谷折り線２６から第１辺２２と第２辺２３との連接部までの上下方向距離、及び第３辺２４の第２谷折り線２７から第３辺２４と第４辺２５との連接部までの上下方向距離がｈとなるように第１谷折り線２６及び第２谷折り線２７で谷折りすることで平面視略矩形状に形成され、この状態における第１辺２２乃至第４辺２５の左右方向長さが第１側面パネル２乃至第４側面パネル５の左右方向長さと略等しくなる。なお、図２〜４に示すように、支持部材用シート２１は、第１谷折り線２６で谷折りした状態における第１谷折り線２６と第１辺２２及び第２辺２３の連接部との左右方向距離をＹ１とすると、展開状態における第１谷折り線２６と第１辺２２及び第２辺２３の連接部との距離はｉＹ１で表すことができ、このときｉは下記式（１）を満たす。さらに、このとき第１谷折り線２６と第１谷折り線２６よりも外側の点、及び第２谷折り線２７と第２谷折り線２７よりも外側の点の関係も同様となる（例えば第１谷折り線２６で谷折りした状態における第１谷折り線２６と物品収容部２８の最遠点との左右方向距離をＹ２とすると、展開状態における第１谷折り線２６と物品収容部２８の最遠点との距離はｉＹ２となる）。
【００３５】
【数１】
0003205861.tif 000003
【００３６】
支持部材用シート２１は、図４に示すように、第１谷折り線２６及び第２谷折り線２７で谷折りされ平面視矩形状に形成された状態で第１辺２２及び第２辺２３の連接部、並びに第３辺２４及び第４辺２５の連接部が上端に位置し、かつこの上端同士の高さが等しい。また、支持部材用シート２１は、高さｈが上述の範囲内であることによって、第１谷折り線２６と第１辺２２及び第２辺２３の連接部、並びに第２谷折り線２７と第３辺２４及び第４辺２５の連接部との上下方向距離が第１側面パネル２乃至第４側面パネル５の上下方向長さ以下となる。
【００３７】
このような構成を有することで、当該支持部材用シート２１は、図５に示すように、第１谷折り線２６及び第２谷折り線２７で谷折りされることで、第１辺２２の第１谷折り線２６よりも外側部分が包装箱Ｚの第１側面パネル２の内面に斜め方向に当接し、第２辺２３の第１谷折り線２６よりも外側部分が第２側面パネル３の内面に斜め方向に当接し、第３辺２４の第２谷折り容易線２７よりも外側部分が第３側面パネル４の内面に斜め方向に当接し、第４辺２５の第２谷折り線２７よりも外側部分が第４側面パネル５の内面に斜め方向に当接する。当該支持部材用シート２１は、上述のように、段ボールシートの中芯の稜線方向が第１谷折り線２６及び第２谷折り線２７に対して傾斜しているので、第１谷折り線２６及び第２谷折り線２７で谷折りした状態で第１外側領域２９及び第２外側領域３０を展開する方向に反力が加わり易い。一方、当該支持部材用シート２１は、包装箱Ｚの第１側面パネル２乃至第４側面パネル５によって左右方向外側から支持されることで位置ズレ及び展開が防止される。これにより、当該支持部材用シート２１は、第１谷折り線２６及び第２谷折り線２７を谷折りした状態で包装箱Ｚ内に安定的に保持される。
【００３８】
当該シートセットは、上述のように第１谷折り線２６及び第２谷折り線２７が短対角線Ｘと平行に配設されているので、包装箱Ｚ内における短対角線Ｘと平行方向における物品の安定性がさらに向上される。
【００３９】
当該シートセットは、支持部材用シート２１を包装箱Ｚに収容した状態において、支持部材用シート２１の第１辺２２及び第２辺２３の連接部が第１側面パネル２及び第２側面パネル３の連接部の上端部に位置し、第３辺２４及び第４辺２５の連接部が第３側面パネル４及び第４側面パネル５の連接部の上端部に位置するよう構成されているとよい。つまり、第１辺２２の第１谷折り線２６から第１辺２２と第２辺２３との連接部までの上下方向距離、及び第３辺２４の第２谷折り線２７から第３辺２４と第４辺２５との連接部までの上下方向距離ｈが第１側面パネル２乃至第４側面パネル５の高さＨと等しいことが好ましい。この場合、当該支持部材用シート２１は、包装箱Ｚ内に収容された状態で第１谷折り線２６及び第２谷折り線２７に囲まれる領域が包装箱Ｚの底面部に当接し、かつ第１辺２２及び第２辺２３の連接部、並びに第３辺２４及び第４辺２５の連接部が天面部に当接した状態で保持される。そのため、当該シートセットは、包装箱Ｚの封函状態における支持部材用シート２１の上下方向の動きが防止される。従って、当該シートセットは、包装箱Ｚ内における物品のぐらつきが格段に抑制される。
【００４０】
当該シートセットは、当該支持部材用シート２１の一対のスリット２８ａ，２８ｂによって画定される第１外部分２９及び第２外側部分３０の側縁によって包装箱Ｚに収容される物品の側面を外側から支持可能に構成されている。当該シートセットは、上述のように、一対のスリット２８ａ，２８ｂが短対角線Ｘ上の点を基準として第１谷折り線２６及び第２谷折り線２７の外側に点対称に設けられるので、包装箱Ｚ内での物品の安定性及び取出作業性がさらに向上される。また、本実施形態においては、当該支持部材用シート２１が物品収容部２８を１つのみ有しているので、物品を包装箱Ｚ内に見栄えよく収容することができる。なお、当該シートセットは、当該支持部材用シート２１の一対のスリット２８ａ，２８ｂによって画定される第１外部分２９及び第２外側部分３０の側縁によって包装箱Ｚに収容される物品の側面を外側から支持するものであるため、当該支持部材用シート２１が包装箱Ｚに収容された状態における物品収容部２８の平面視形状は、物品の側面形状と略等しいことが好ましい。
【００４１】
＜利点＞
当該シートセットは、支持部材用シート２１を第１谷折り線２６及び第２谷折り線２７で谷折りし、第１辺２２及び第２辺２３の第１谷折り線２６よりも外側部分、並びに第３辺２４及び第４辺２５の第２谷折り線２７よりも外側部分が包装箱Ｚの第１側面パネル２乃至第４側面パネル５の内面に斜め方向に当接するよう包装箱Ｚ内に収容することで支持部材付き包装箱として組立てられる。当該シートセットは、支持部材用シート２１の第１辺２２乃至第４辺２５が第１側面パネル２乃至第４側面パネル５の内面に斜め方向に当接することで、支持部材用シート２１を包装箱Ｚ内でさらに展開することが困難になるので、支持部材用シート２１が包装箱Ｚ内に安定的に保持される。当該シートセットは、このように支持部材用シート２１を第１谷折り線２６及び第２谷折り線２７で谷折りし包装箱Ｚ内に収容するだけで支持部材を形成することができるので支持部材の形成作業性に優れる。また、当該シートセットは、支持部材用シート２１が包装箱Ｚ内に安定的に保持されるので、この支持部材用シート２１の物品収容部に物品を収容することで包装箱Ｚ内での物品のぐらつきを十分に抑えることができる。当該シートセットは、支持部材用シート２１の第１谷折り線２６よりも外側領域及び第２谷折り線２７よりも外側領域を包装箱Ｚの下面に対して斜めに傾斜した状態で保持することができるので、物品の側面の一部を支持部材用シート２１の上側から露出させることができる。そのため、当該シートセットは、物品の取出作業性に優れる。
【００４２】
当該支持部材用シート２１は、第１辺２２乃至第４辺２５が包装箱Ｚの第１側面パネル２乃至第４側面パネル５の内面に斜め方向に当接することで、包装箱Ｚ内に安定的に保持される。当該支持部材用シート２１は、第１谷折り線２６及び第２谷折り線２７で谷折りし包装箱Ｚ内に収容するだけで支持部材として形成されるので形成作業性に優れる。また、当該支持部材用シート２１は、包装箱Ｚ内に安定的に保持されるので、物品収容部２８に物品を収容することで包装箱Ｚ内での物品のぐらつきを十分に抑えることができる。当該支持部材用シート２１は、第１谷折り線２６よりも外側領域及び第２谷折り線２７よりも外側領域を包装箱Ｚの下面に対して斜めに傾斜した状態で保持することができるので、物品の側面の一部を支持部材用シート２１の上側から露出させることができる。そのため、当該支持部材用シート２１は、物品の取出作業性に優れる。
【００４３】
［その他の実施形態］
なお、本考案のシートセット及び支持部材用シートは、上記態様の他、種々の変更、改良を施した態様で実施することができる。例えば当該支持部材用シートの各辺は、第１谷折り線及び第２谷折り線との交点部分で外側に若干程度折れ曲がっていてもよい。具体的には、当該支持部材用シートは、第１辺と第４辺とのなす角、及び第２辺と第３辺とのなす角がそれぞれ９０°とされ、各辺が第１谷折り線及び第２谷折り線との交点部分で外側に若干程度折れ曲がることによって概略平行四辺形状に形成されてもよい。当該支持部材用シートは、かかる構成によると、第１谷折り線及び第２谷折り線で囲まれる領域の形状をこの領域が重ねられる包装箱の底面部の形状と一致させ易い。そのため、当該シートセットは、支持部材用シートを包装箱内にさらに安定的に保持することができる。
【００４４】
当該支持部材用シートは、物品収容部が一対のスリットによって形成される必要はなく、第１外側領域又は第２外側領域を含む部分に物品を収容するための一対の開口を有していてもよい。また、当該支持部材用シートは、例えば上記第１外側領域及び第２外側領域のいずれか一方のみに開口又はスリットを有し、この開口又はスリットが物品収容部として形成されてもよい。さらに、当該支持部材用シートは、上記第１外側領域又は第２外側領域を含む部分に切欠きを有し、この切欠きが物品収容部を形成してもよい。加えて、当該支持部材用シートは、１つの物品収容部のみを有する必要はなく、２以上の物品収容部を有していてもよい。
【００４５】
上記第１谷折り線及び第２谷折り線は、必ずしも短対角線と平行に配設される必要はなく、また第１谷折り線及び第２谷折り線が非平行に配設されてもよい。
【００４６】
包装箱用シートの形状は四角筒状部を有する箱型に組立可能である限り特に限定されるものではなく、公知の形状を採用可能である。
【００４７】
当該支持部材用シートは、必ずしも一対の谷折り線を有する必要はなく、１つの谷折り線のみを有していてもよい。１つの谷折り線のみを有する構成を図６に示す。図６の支持部材用シート３１は、図１の包装箱用シート１から組立てられる包装箱Ｚに収容される支持部材を形成する。支持部材用シート３１は、対向する第１辺３２及び第３辺３４、並びに対向する第２辺３３及び第４辺３５を有する。支持部材用シート３１には、第１辺３２と第４辺３５との連接分近傍、及び第２辺３３と第３辺３４との連接部分近傍を結ぶ１つの谷折り線３６が形成されている。また、支持部材用シート３１は、谷折り線３６の外側領域を含む部分に包装箱Ｚ内に物品を収容するための開口３７を有する。
【００４８】
支持部材用シート３１は、第１辺３２及び第４辺３５の連接部と第２辺３３及び第３辺３４の連接部とを結ぶ対角線が短対角線を形成する概略平行四辺形状に形成されており、谷折り線３６がこの短対角線に形成されている。これにより、谷折り線３６は、第１辺３２及び第２辺３３を含む第１外側領域３８と、第３辺３４及び第４辺３５を含む第２外側領域３９とを区画する。支持部材用シート３１は、第１辺３２及び第３辺３４と段ボールシートの中芯の稜線方向とが平行に位置しており、これにより段ボールシートの中芯の稜線方向が谷折り線３６に対して傾斜している。
【００４９】
第１辺３２及び第３辺３４の長さは、第１側面パネル２及び第３側面パネル４の下辺を底辺とし、高さをｈとする直角三角形の斜辺の長さとして規定され、第２辺３３及び第４辺３５の長さは、第２側面パネル３及び第４側面パネル５の下辺を底辺とし、高さをｈとする直角三角形の斜辺の長さと規定される。これにより、支持部材用シート３１は、谷折り線３６と第１辺３２及び第２辺３３の連接部、並びに谷折り線３６と第３辺３４及び第４辺３５の連接部との上下方向距離がｈとなるように谷折り線３６で谷折りすることで平面視矩形状に形成され、この状態における第１辺３２乃至第４辺３５の左右方向長さが第１側面パネル２乃至第４側面パネル５の左右方向長さと略等しくなる。
【００５０】
このような構成を有することによって、支持部材用シート３１は、谷折り線３６で谷折りされることで、第１辺３２の谷折り線３６の外側部分が第１側面パネル２の内面に斜め方向に当接し、第２辺３３の谷折り線３６の外側部分が第２側面パネル３の内面に斜め方向に当接し、第３辺３４の谷折り線３６の外側部分が第３側面パネル４の内面に斜め方向に当接し、第４辺３５の谷折り線３６の外側部分が第４側面パネル５の内面に斜め方向に当接する。
【００５１】
当該支持部材用シート３１は、図２の支持部材用シート２１と同様、支持部材の形成作業性に優れると共に、この支持部材により物品のぐらつきを十分に抑えることができる。
【産業上の利用可能性】
【００５２】
以上のように、本考案のシートセットは、支持部材の形成作業性に優れると共に、この支持部材によって物品のぐらつきを十分に抑えることができ、かつ物品の取出作業性にも優れるので、保管用、輸送用等の包装箱用シートセットとして適している。
【符号の説明】
【００５３】
１  包装箱用シート
２  第１側面パネル
３  第２側面パネル
４  第３側面パネル
５  第４側面パネル
６，８  上側外フラップ
７，９  上側内フラップ
１０〜１３  下側フラップ
１４  糊代部
２１，３１  支持部材用シート
２２，３２  第１辺
２３，３３  第２辺
２４，３４  第３辺
２５，３５  第４辺
２６  第１谷折り線
２７  第２谷折り線
２８  物品収容部
２８ａ，２８ｂ  スリット
２９，３８  第１外側領域
３０，３９  第２外側領域
３６  谷折り線
３７  開口
Ｘ  短対角線
Ｚ  包装箱
【図１】
0003205861.tif 000004
【図２】
0003205861.tif 000005
【図３】
0003205861.tif 000006
【図４】
0003205861.tif 000007
【図５】
0003205861.tif 000008
【図６】
0003205861.tif 000009